(57)【要約】【課題】表示器の筐体の開口部近傍に、あらゆる箇所からの水の侵入に対する排水対策を施すことにより、信頼性をより高めた自動販売機を提供する。【解決手段】自動販売機１２の前面に設けられ、販売物に関する情報を表示する表示器１０を備えた自動販売機１２において、表示器１０は、コネクタ部を実装した基板と、基板を収容するとともに、後面にコネクタ部のケーブル接続用に開口した開口部を有する筐体とを備え、筐体は、開口部の下端縁部を後端縁部とする底面に、筐体内部の水を外部に排水するために開口した排水部をさらに有し、排水部は、基板の前面側と後面側とに開口したものである。【選択図】図１
2015162084.tif 000002
【特許請求の範囲】
【請求項１】
自動販売機の前面に設けられ、販売物に関する情報を表示する表示器を備えた自動販売機において、
前記表示器は、
コネクタ部を実装した基板と、
前記基板を収容するとともに、後面に前記コネクタ部のケーブル接続用に開口した開口部を有する筐体とを備え、
前記筐体は、前記開口部の下端縁部を後端縁部とする底面に、前記筐体内部の水を外部に排水するために開口した排水部をさらに有し、
前記排水部は、前記基板の前面側と後面側とに開口したものであることを特徴とする自動販売機。
【請求項２】
前記排水部は、前記基板の前面側と後面側とに跨って開口したものであることを特徴とする請求項１に記載の自動販売機。
【請求項３】
前記排水部は、水の表面張力によって前記排水部が水で密閉されない大きさに開口したものであることを特徴とする請求項１または２に記載の自動販売機。
【請求項４】
前記排水部は、前記コネクタ部の左右両側の水を排水可能な大きさに開口したものであることを特徴とする請求項１〜３のいずれか一つに記載の自動販売機。
【発明の詳細な説明】
【技術分野】
【０００１】
本発明は、例えば自動販売機に投入された金額等を外扉の前面において表示するデジタル表示器等の表示器を備えた自動販売機に関するものである。
【背景技術】
【０００２】
従来、自動販売機において投入された金額を前扉の前面において表示する金額表示器が知られている（例えば、特許文献１を参照）。金額表示器の筐体には背面にコネクタ部が実装された基板が収容され、筐体の背面にはコネクタ部のケーブル接続用に開口された開口部が形成されている。
【０００３】
このような金額表示器では、例えば、自動販売機の前扉の開閉時などに前扉の上部等に付着した雨水等が飛散し、水滴が金額表示器の筐体背面に付着することがある。筐体背面に付着した水滴は当該背面を垂れて流下し、開口部から筐体内に侵入し、コネクタ部を伝わって基板に到達すると基板がショートするおそれがある。
【０００４】
こうした課題を解決するために、筐体の開口部近傍に排水対策を施した表示装置が知られている（例えば、特許文献２または３を参照）。図７および図８は、特許文献２の表示装置の断面図を示したものである。これらの図に示すように、表示装置の筐体の支持枠体１にはプリント基板２が収容されており、支持枠体１の背面には開口部３が設けられている。また、支持枠体１の底部１ａには、プリント基板２の近傍にコネクタ部４に沿って上方に突出した凸条部５が開口部３の下端縁部の全域に亘って立設され、凸条部５はコネクタ部４に当接する高さを有している。さらに、底部１ａには、開口部３に至るまで切り欠いた切り欠き部６が開口部３の下端縁部の全域に亘って形成されている。この構成によれば、開口部３から筐体内に侵入した水滴７を切り欠き部６から排水することができる。
【０００５】
なお、特許文献２には、図９に示すような構成も開示されている。この構成は図７の切り欠き部６の代わりに排水孔８を設けたものである。すなわち、支持枠体１の底部１ａには、開口部３の下端縁部３ａの全域に亘って排水孔８が穿孔されている。底部１ａは、その上面が凸条部５から排水孔８を経て支持枠体１の外方に向けて下側に傾斜する外方傾斜面１ｂによって形成されている。この構成によっても、開口部３から筐体内に侵入した水滴７を排水孔８から排水することができる。
【先行技術文献】
【特許文献】
【０００６】
【特許文献１】特開平７−２７２０７６号公報
【特許文献２】特開２０１３−１３１１２５号公報
【特許文献３】特開２０１３−１２５５２１号公報
【発明の概要】
【発明が解決しようとする課題】
【０００７】
ところで、上記の従来の特許文献２等の表示装置では、想定した水滴の侵入経路が支持枠体１の背面の開口部３からコネクタ部４に至るものに限定され、その他の経路からの水の侵入に対しての排水対策は必ずしも十分ではない。
【０００８】
特に、上記の特許文献２等の表示装置では、コネクタ部４からプリント基板２の前面側２ａへの水の侵入を防止するための凸条部５を設けた構造となっているが、このような構造では、支持枠体１の前面側１ｃ、もしくは、支持枠体１の上部１ｄから水が侵入した場合に、プリント基板２の前面側２ａの水を外部に排水することはできない。
【０００９】
本発明は、上記に鑑みてなされたものであって、表示器の筐体の開口部近傍に、あらゆる箇所からの水の侵入に対する排水対策を施すことにより、信頼性をより高めた自動販売機を提供することを目的とする。
【課題を解決するための手段】
【００１０】
上記した課題を解決し、目的を達成するために、本発明に係る自動販売機は、自動販売機の前面に設けられ、販売物に関する情報を表示する表示器を備えた自動販売機において、前記表示器は、コネクタ部を実装した基板と、前記基板を収容するとともに、後面に前記コネクタ部のケーブル接続用に開口した開口部を有する筐体とを備え、前記筐体は、前記開口部の下端縁部を後端縁部とする底面に、前記筐体内部の水を外部に排水するために開口した排水部をさらに有し、前記排水部は、前記基板の前面側と後面側とに開口したものであることを特徴とする。
【００１１】
また、本発明に係る他の自動販売機は、上述した発明において、前記排水部は、前記基板の前面側と後面側とに跨って開口したものであることを特徴とする。
【００１２】
また、本発明に係る他の自動販売機は、上述した発明において、前記排水部は、水の表面張力によって前記排水部が水で密閉されない大きさに開口したものであることを特徴とする。
【００１３】
また、本発明に係る他の自動販売機は、上述した発明において、前記排水部は、前記コネクタ部の左右両側の水を排水可能な大きさに開口したものであることを特徴とする。
【発明の効果】
【００１４】
本発明に係る自動販売機によれば、自動販売機の前面に設けられ、販売物に関する情報を表示する表示器を備えた自動販売機において、前記表示器は、コネクタ部を実装した基板と、前記基板を収容するとともに、後面に前記コネクタ部のケーブル接続用に開口した開口部を有する筐体とを備え、前記筐体は、前記開口部の下端縁部を後端縁部とする底面に、前記筐体内部の水を外部に排水するために開口した排水部をさらに有し、前記排水部は、前記基板の前面側と後面側とに開口したものであるので、表示器の筐体内部に収容される基板の前面側や後面側に水が侵入しても、この水を筐体の底面の排水部を通じて外部に排水することができる。したがって、表示器の筐体の開口部近傍に、考え得るあらゆる箇所からの水の侵入に対する排水対策を施すことにより、信頼性をより高めた自動販売機を提供することができるという効果を奏する。
【００１５】
また、本発明に係る他の自動販売機によれば、前記排水部は、前記基板の前面側と後面側とに跨って開口したものであるので、表示器の筐体内部に収容される基板の前面側や後面側に水が侵入しても、この水を排水部を通じてより確実に外部に排水することができるという効果を奏する。
【００１６】
また、本発明に係る他の自動販売機によれば、前記排水部は、水の表面張力によって前記排水部が水で密閉されない大きさに開口したものであるので、水の表面張力によって排水部に水膜が形成されることはない。このため、排水部が水膜により閉塞する事態を回避できるので、排水部の排水機能を正常に維持することができるという効果を奏する。
【００１７】
また、本発明に係る他の自動販売機によれば、前記排水部は、前記コネクタ部の左右両側の水を排水可能な大きさに開口したものであるので、コネクタ部の左右両側に水が侵入しても、この水を排水部を通じて外部に排水することができるという効果を奏する。
【図面の簡単な説明】
【００１８】
【図１】図１は、本発明の実施の形態に係るデジタル表示器が組み込まれた自動販売機の外観を示す正面図である。
【図２】図２は、図１の自動販売機の外扉を開けた状態を示す斜視図である。
【図３】図３は、図１のデジタル表示器の分解斜視図である。
【図４】図４は、基板のみが収容された状態の支持枠体を図３のＡ−Ａ方向から見た縦断面図である。
【図５】図５は、基板のみが収容された状態の支持枠体を図３のＢ−Ｂ方向から見た横断面図である。
【図６】図６は、本発明の実施の形態に係るデジタル表示器の一例であり、デジタル表示器を底部から見た図である。
【図７】図７は、従来のプリント基板のみが収容された状態の支持枠体の一例を示した縦断面図である。
【図８】図８は、図７の下側部分の横断面図である。
【図９】図９は、図７の変形例を示した縦断面図である。
【発明を実施するための形態】
【００１９】
以下に、本発明に係る自動販売機の実施の形態について、デジタル表示器を備える場合を例にとり図面に基づいて詳細に説明する。なお、この実施の形態によりこの発明が限定されるものではない。
【００２０】
まず、図１および図２に基づいて、本発明の実施の形態に係るデジタル表示器が組み込まれた自動販売機の構成を説明する。図１は、本発明の実施の形態に係るデジタル表示器が組み込まれた自動販売機の外観を示す正面図であり、図２は、図１に示した自動販売機の外扉を開けた状態を示す斜視図である。
【００２１】
図１に示すように、ここで説明する自動販売機１２は、缶入り飲料やペットボトル入り飲料などの商品を冷やした状態または温めた状態で販売するもので、図２に示すように、本体キャビネット１２ａと外扉１４とを備えている。本体キャビネット１２ａは、複数の鋼板を組み合わせることにより構成したもので、前面が開口した断熱構造の箱状に構成してある。外扉１４は、本体キャビネット１２ａの前面開口を閉塞するためのもので、開閉可能となる態様で、本体キャビネット１２ａの一側縁部（左側縁部）に支承してある。
【００２２】
図１に示すように、外扉１４の前面右側中程には、ポップアップハンドル１６が設けてある。ポップアップハンドル１６は、外扉１４を閉塞した状態で施錠するためのもので、外扉１４を閉塞した状態でポップアップハンドル１６を押し込むことにより施錠され、解錠操作するとポップアップハンドル１６がポップアップ（突出）することにより、外扉１４の開放操作が可能となる。
【００２３】
また、外扉１４の前面上部域には、展示室１８が設けてある。展示室１８は、自動販売機が販売する商品の商品見本Ｄを展示するためのものであり、外扉１４の後方側に開閉可能に取り付けられた中扉２０と外扉１４の前面側に嵌め込んだ透明な電照板２２とにより画成され、利用者が自動販売機の前面側から展示室１８の内部を視認可能である。
【００２４】
展示室１８の内部には、商品を展示するためのステージ２４が上下方向に三つ並べて設置してあり、それぞれのステージ２４において商品見本Ｄが横並びに展示される。また、外扉１４の前面側に嵌め込んだ透明な電照板２２には、ステージ２４と対応するように、商品選択ボタン装置２６が上下方向に三つ、左右方向に二つ並べて設置してある。
【００２５】
商品選択ボタン装置２６は、商品を選択するためのもので、商品見本Ｄと対応するように、複数の選択ボタン２８を備えている。
【００２６】
また、展示室１８の下方となる外扉１４の中程には、硬貨投入口３０、紙幣挿入口３２、本発明の実施の形態に係るデジタル表示器１０、返却レバー３４が設けてある。
【００２７】
硬貨投入口３０は、硬貨を受け付けるための開口であって、硬貨投入口３０から投入された硬貨は、外扉１４の内側に搭載したコインメカニズム（硬貨処理装置）３６（図２参照）に収容される。コインメカニズム３６は、各種硬貨の投入枚数を整理し、図示しない主制御部に送信する一方、この主制御部からの指令に従い、各種硬貨を払い出すものである。
【００２８】
紙幣挿入口３２は、紙幣を受け付けるための開口であって、紙幣挿入口３２から挿入された紙幣は、外扉１４の内側に搭載したビルバリデータ（紙幣処理装置）３８（図２参照）に収容される。ビルバリデータ３８は、紙幣の投入枚数を整理し、図示しない主制御部に送信する一方、この主制御部からの指令に従い、紙幣を払い出すものである。
【００２９】
デジタル表示器１０は、販売中、釣り切れ、準備中、お札中止のほか、投入金額、各種設定時の情報等の各種情報を表示するためのもので、図示しない主制御部からの指令に従い、各種情報をデジタルにて表示する。
【００３０】
返却レバー３４は、取引の中断を指示するためのもので、返却レバー３４が操作されると、取引が中断され、コインメカニズム３６から硬貨返却口４０ａに釣銭等が放出され、ビルバリデータ３８から紙幣挿入口３２に紙幣が返却される。
【００３１】
また、外扉１４の下方となる位置には、取出口４０ｂが設けてある。取出口４０ｂは、商品収納ラックから搬出された商品を取り出すための開口である。
【００３２】
また、外扉１４の内側には、リモコン４１が配設してある。リモコン４１は、各種設定操作、各種売上データの確認操作をおこなうためのもので、書込みキーや終了キーなどの操作キーのほか、各種設定データや確認データが表示される液晶表示器を備えている。そして、リモコン４１から設定入力された設定データは図示しない主制御部に送信され、この主制御部から送信された確認データを受信する。
【００３３】
図３は、デジタル表示器１０の分解斜視図である。図３に示すように、デジタル表示器１０は、印字シート４３を介して保護カバー４２と前面カバー４４と、後面カバー４８との間に、プリント基板４６を収容して１つの筐体５０としてユニットが構成されている。
【００３４】
保護カバー４２は、透明性を有する樹脂材料等から形成され、文字部分を透過性にした印字シート４３を介して前面カバー４４に係合する。
【００３５】
前面カバー４４は、その内部に穿孔加工が適宜施され、プリント基板４６の前面４６ａにおける図示しない各実装部の表示が前面４４ａに配された各表示枠内に適切に表示される。
【００３６】
プリント基板４６は、その前面４６ａに図示しない金額などを表示するデジタル表示部、販売中ランプ、お札中止ランプ、釣り切れランプ等が実装され、後面４６ｂには後述する外部接続用の接続ピン５６ａを有するコネクタ部５６等が実装されている。
【００３７】
後面カバー４８は、前面が開口した箱形状をなし、その前面開口部４８ａから前面カバー４４と結合することで、プリント基板４６が内部に収容される。
【００３８】
図４は、プリント基板４６のみが収容された状態の後面カバー４８を図３のＡ−Ａ方向から見た縦断面図である。図５は、プリント基板４６のみが収容された状態の後面カバー４８を図３のＢ−Ｂ方向から見た横断面図である。
【００３９】
図３、図４および図５に示すように、後面カバー４８の後面４８ｃには外部接続用の３つのコネクタ部５６にケーブルを接続するための大小２つの後面開口部（開口部）６０が各コネクタ部５６に対応する位置に開口されている。図３中、左奥側の小さい後面開口部６０は、１つのコネクタ部５６に対応した矩形状の開口となっている。また、右手前側の大きい後面開口部６０は、左右に隣接する２つのコネクタ部５６に対応した矩形状の開口となっている。これらのコネクタ部５６は、図示しない自動販売機の主制御部（メインコントロールボックス）、電源ボックスなどに接続されている。
【００４０】
後面カバー４８の底部（底面）４８ｄには、後面開口部６０に対応する位置に矩形状の排水孔（排水部）６２が穿孔されている。この排水孔６２は、筐体５０の内部の水を外部に排水するための開口であり、その後端縁部は後面開口部６０の下端縁部６０ａに相当する。この排水孔６２は、プリント基板４６の基板本体６４の前面４６ａ（前面側）と後面４６ｂ（後面側）とに跨って開口している。また、後面カバー４８の底部４８ｄは、付着した水を排水孔６２に導くべく若干傾斜した態様となっている。
【００４１】
また、排水孔６２は、水の表面張力によって排水孔６２が水で密閉されない大きさに開口している。より具体的には、排水孔６２の開口領域は、コネクタ部５６の底部４８ｄに対する射影領域よりも一回り大きい領域となっており、コネクタ部５６と排水孔６２との間には水滴を排水するための十分な隙間が形成される。このようにすることで、水の表面張力によって排水孔６２に水膜が形成されることはない。したがって、排水孔６２が水膜により閉塞する事態を回避できるので、排水孔６２の排水機能を正常に維持することができる。また、排水孔６２は、コネクタ部５６の左右両側の水を排水可能な大きさに開口している。これにより、コネクタ部５６の左右両側に水が侵入しても、この水を排水孔６２を通じて外部に排水することができる。
【００４２】
ここで、例えば、外扉１４の上部等に付着した雨水等が飛散し、まれに図４に示すように水滴７０が後面カバー４８の後面４８ｃに付着し、後面４８ｃを垂れて流下して後面開口部６０から後面カバー４８の内部に侵入する場合がある。この場合、後面カバー４８の内部に侵入した水滴７０は、その自重により底部４８ｄの排水孔６２から後面カバー４８の外部に排水される。
【００４３】
また、水滴７０がプリント基板４６の後面４６ｂを垂れて流下したり、コネクタ部５６の上部から流下するなどし、底部４８ｄに一時的に滞留することがある。この場合には、水滴７０はその自重により底部４８ｄを流れて排水孔６２から排水される。
【００４４】
さらに、水滴７０がプリント基板４６の前面４６ａを垂れて流下し、底部４８ｄに一時的に滞留することがある。このような場合であっても、水滴７０はその自重により底部４８ｄを流れて排水孔６２から排水される。
【００４５】
本実施の形態に係るデジタル表示器１０がこのような排水孔６２を有することにより、後面開口部６０から筐体５０内へ水滴７０が侵入したとしても、排水孔６２から排水することができる。また、コネクタ部５６の上部から水滴７０が流下したり、プリント基板４６の前面４６ａや後面４６ｂを水滴７０が垂れて流下したとしても、これを排水孔６２からより確実に外部に排水することができる。したがって、本発明によれば、後面開口部６０の近傍に考え得るあらゆる箇所からの水の侵入に対する排水対策を施すことにより、筐体５０内に侵入した水滴７０の滞留を解消することができるため、デジタル表示器１０および自動販売機１２の信頼性をより高めることができる。以上により、筐体５０内に侵入した水滴７０の滞留を迅速に解消して、デジタル表示器１０に対し効果的な排水対策を施すことができる。
【００４６】
図６は、本発明に相当するデジタル表示器の製品の外観の一例であり、デジタル表示器を底部から見た状態を示している。図６に示すように、本発明に相当するデジタル表示器によれば、排水孔をなす開口は基板の後面側のみならず前面側にも開いているため、基板の後面側のみならず前面側に侵入した水滴も外部に排水できることがわかる。また、排水孔をなす開口とコネクタ部との間の隙間は十分に広いことから、水が滞留しにくい構造である。したがって、本発明のデジタル表示器は従来技術のものに比べて有利な効果を奏するものである。
【００４７】
なお、本発明は上記の実施の形態に制約されるものではなく、種々の変形が可能である。例えば、上記の実施の形態では、後面カバー４８の底部４８ｄに穿孔された排水孔６２は後面開口部６０と下端縁部６０ａにおいて分離した開口となっているが、これに限らず、後面開口部６０と連続した開口であってもよい。この場合にも、後面開口部６０から筐体５０内に侵入した水滴７０、コネクタ部５６の上部から侵入した水滴７０、プリント基板４６の後面４６ｂを垂れて流下する水滴７０のみならず、プリント基板４６の前面４６ａを垂れて流下する水滴７０をも排水孔６２から迅速に排水することができる。
【００４８】
また、上記の実施の形態では、後面カバー４８の底部４８ｄに穿孔された排水孔６２は、１個の開口としてプリント基板４６の基板本体６４の前面４６ａと後面４６ｂとに跨って連続的に開口しているが、基板本体６４の前面側と後面側とに各々開口していればこれに限るものではない。この場合、例えば、基板本体６４の直下の底部４８ｄに排水孔６２を２つに分割する分割部を設け、排水孔６２を前面４６ａの直下と後面４６ｂの直下とにそれぞれ開口したものとしてもよい。この場合でも、後面開口部６０から筐体５０内に侵入した水滴７０、コネクタ部５６の上部から侵入した水滴７０、プリント基板４６の後面４６ｂを垂れて流下する水滴７０のみならず、プリント基板４６の前面４６ａを垂れて流下する水滴７０をも排水孔６２から迅速に排水することができる。
【００４９】
また、上記の実施の形態ではデジタル表示器１０について説明したが、これに限らず、前面側に商品（販売物）に関する表示を行い、プリント基板が収容されるとともに後面側にコネクタ部用の開口部を有する筐体を備えていれば、自動販売機１２の他の表示器に本発明を適用できることはもちろんである。
【００５０】
以上説明したように、本発明に係る自動販売機によれば、自動販売機の前面に設けられ、販売物に関する情報を表示する表示器を備えた自動販売機において、前記表示器は、コネクタ部を実装した基板と、前記基板を収容するとともに、後面に前記コネクタ部のケーブル接続用に開口した開口部を有する筐体とを備え、前記筐体は、前記開口部の下端縁部を後端縁部とする底面に、前記筐体内部の水を外部に排水するために開口した排水部をさらに有し、前記排水部は、前記基板の前面側と後面側とに開口したものであるので、表示器の筐体内部に収容される基板の前面側や後面側に水が侵入しても、この水を筐体の底面の排水部を通じて外部に排水することができる。したがって、表示器の筐体の開口部近傍に、考え得るあらゆる箇所からの水の侵入に対する排水対策を施すことにより、信頼性をより高めた自動販売機を提供することができる。
【００５１】
また、本発明に係る他の自動販売機によれば、前記排水部は、前記基板の前面側と後面側とに跨って開口したものであるので、表示器の筐体内部に収容される基板の前面側や後面側に水が侵入しても、この水を排水部を通じてより確実に外部に排水することができる。
【００５２】
また、本発明に係る他の自動販売機によれば、前記排水部は、水の表面張力によって前記排水部が水で密閉されない大きさに開口したものであるので、水の表面張力によって排水部に水膜が形成されることはない。このため、排水部が水膜により閉塞する事態を回避できるので、排水部の排水機能を正常に維持することができる。
【００５３】
また、本発明に係る他の自動販売機によれば、前記排水部は、前記コネクタ部の左右両側の水を排水可能な大きさに開口したものであるので、コネクタ部の左右両側に水が侵入しても、この水を排水部を通じて外部に排水することができる。
【産業上の利用可能性】
【００５４】
以上のように、本発明に係る自動販売機は、例えば自動販売機に投入された金額等を外扉の前面において表示するデジタル表示器等の表示器を備えた自動販売機に有用であり、特に、あらゆる箇所からの水の侵入に対する排水対策を施すことにより、信頼性をより高めるのに適している。
【符号の説明】
【００５５】
１０  デジタル表示器（表示器）
１２  自動販売機
１２ａ  本体キャビネット
１４  外扉
１６  ポップアップハンドル
１８  展示室
２０  中扉
２２  電照板
２４  ステージ
２６  商品選択ボタン装置
２８  選択ボタン
３０  硬貨投入口
３２  紙幣挿入口
３４  返却レバー
３６  コインメカニズム（硬貨処理装置）
３８  ビルバリデータ（紙幣処理装置）
４０ａ  硬貨返却口
４０ｂ  取出口
４１  リモコン
４２  保護カバー
４３  印字シート
４４  前面カバー
４４ａ  前面
４６  プリント基板
４６ａ  前面（前面側）
４６ｂ  後面（後面側）
４８  後面カバー
４８ａ  前面開口部
４８ｂ  後面部
４８ｃ  後面（筐体後面）
４８ｄ  底部
５０  筐体
５６  コネクタ部
５６ａ  接続ピン
６０  後面開口部（開口部）
６０ａ  下端縁部
６２  排水孔（排水部）
６４  基板本体
７０  水滴
Ｄ  商品見本
【図１】
2015162084.tif 000003
【図２】
2015162084.tif 000004
【図３】
2015162084.tif 000005
【図４】
2015162084.tif 000006
【図５】
2015162084.tif 000007
【図６】
2015162084.tif 000008
【図７】
2015162084.tif 000009
【図８】
2015162084.tif 000010
【図９】
2015162084.tif 000011